(57)【要約】【課題】売店の床面中央などにワンタッチで短時間で組み立てて設置し、陳列棚の全周にわたって多種多様の商品を大量陳列することができる上、加盟店や個別の商店などに搬入する場合には、偏平に折り畳んで搬送することができる全周式陳列棚を提供する。【解決手段】筒状の下段陳列棚４０の上に、台座状の上段陳列棚２０を着脱自在に搭載した上下二段式の陳列棚である。上下両段の陳列棚２０，４０の上端部全周にわたって商品１１を陳列することができる。【選択図】図１
2005218499.tif 000002
【特許請求の範囲】
【請求項１】
筒状の下段陳列棚の上に、台座状の上段陳列棚を着脱自在に搭載した上下二段式の陳列棚であり、上下両段の陳列棚の上端部全周にわたって商品を陳列することができる全周式陳列棚。
【請求項２】
上段陳列棚を、平板状の陳列板と、該陳列板を担持するため、切込み部を利用して十字状に組み付けることができる第１および第２の陳列板支持部により形成する請求項１記載の全周式陳列棚。
【請求項３】
第１の陳列板支持部を、双葉状の陳列板受け部と、該陳列板受け部の下部に設けられた壁面部と、前記双葉状の陳列板受け部の自由端に取り付けられたリング状の商品転落防止部から形成されている請求項２記載の全周式陳列棚。
【請求項４】
リング状の商品転落防止部の内周面に陳列板受け部の周囲を支えるための支持片を一定間隔で設けた請求項３記載の全周式陳列棚。
【請求項５】
第２の陳列板支持部を、平板状の商品陳列板と、該商品陳列板の上部に設けられた壁面部から形成する請求項２記載の全周式陳列棚。
【請求項６】
下段の陳列棚を、筒状の筒体と、該筒体の中に設けられた芯材と、該芯材と前記筒体との間に架設させた上下二枚の拡張板と、上部拡張板の下面に取り付けられた補強部材から形成する請求項１記載の全周式陳列棚。
【請求項７】
上部の拡張板を、筒体の上端から所定の深さだけ下方に設け、筒体の上端部分が商品の転落を防止する商品転落防止部となっている請求項６記載の全周式陳列棚。
【請求項８】
上下二枚の拡張板を、双葉状に形成する請求項６記載の全周式陳列棚。
【請求項９】
補強部材を、下部拡張板に設けたスリットを貫通して筒体の下面に到達させ、上部拡張板に作用する荷重の一部を担持するようにする請求項６記載の全周式陳列棚。
【発明の詳細な説明】
【技術分野】
【０００１】
本発明は、売店の床面中央などにワンタッチで短時間で組み立てて設置し、円形や、四角形および六角形などの多角形の棚の全周にわたって化粧品や日用品、食料品などの商品を大量に陳列することができるとともに、運搬時に偏平状に折り畳んで搬送することができる全周式陳列棚に関するものである。
【背景技術】
【０００２】
従来、上部が陳列用台部に形成された基台と、この基台から上方に延びる２本の支柱と、この２本の支柱に架設される棚部とを備え、前記陳列用台部および棚部の上面に形成された嵌合用凹部内に、複数種類の化粧品陳列用保持具が適宜に配置され組み合わされた状態で着脱自在に嵌合されるようになっている化粧品陳列棚が提案されている（例えば、特許文献１参照。）。
【特許文献１】特開平９−２７６０９７号公報
【０００３】
しかしながら、上記の化粧品陳列棚は、化粧品専用の陳列棚であり、化粧品以外の陳列には適さないと言う問題があった。
また、上記の化粧品陳列棚は、上部が陳列用台部に形成された箱型状の基台と、この基台上面の左右奥側から上方に延びる２本の支柱と、この２本の支柱の間に架設される棚部とを備えたものであり、通常、売店の壁面を背にして設置されているため、陳列棚の前面しか使用または利用することができないという問題があった。
【０００４】
また、上記の化粧品陳列棚は、折り畳み式でないので、加盟店や個別の商店などに搬入する場合に、一台の運搬車に数個しか搭載することができないため、一個当たりの輸送費が嵩むと言う問題があった。
【発明の開示】
【発明が解決しようとする課題】
【０００５】
本発明は、このような従来の諸問題を解消するために発明したものであり、その目的とするところは、売店の床面中央などにワンタッチで短時間で組み立てて設置し、陳列品の多様化を計ることができるとともに、陳列棚の全周にわたって大量に商品を陳列することができ、さらに、加盟店や個別の商店などに搬入する場合に、偏平に折り畳んで搬送することができる全周式陳列棚を提供することにある。
【課題を解決するための手段】
【０００６】
本発明は、上記の目的を達成するために、次のように構成されている。
請求項１の記載に係る発明は、筒状の下段陳列棚の上に、台座状の上段陳列棚を着脱自在に搭載した上下二段式の陳列棚であり、上下両段の陳列棚の上端部全周にわたって商品を陳列することができる全周式陳列棚である。
【０００７】
請求項２の記載に係る発明は、上段陳列棚を、平板状の陳列板と、該陳列板を担持するため、切込み部を利用して十字状に組み付けることができる第１および第２の陳列板支持部により形成する請求項１記載の全周式陳列棚である。
【０００８】
請求項３の記載に係る発明は、第１の陳列板支持部を、双葉状の陳列板受け部と、該陳列板受け部の下部に設けられた壁面部と、前記双葉状の陳列板受け部の自由端に取り付けられたリング状の商品転落防止部から形成されている請求項２記載の全周式陳列棚である。
【０００９】
請求項４の記載に係る発明は、リング状の商品転落防止部の内周面に陳列板受け部の周囲を支えるための支持片を一定間隔で設けた請求項３記載の全周式陳列棚である。
【００１０】
請求項５の記載に係る発明は、第２の陳列板支持部を、平板状の商品陳列板と、該商品陳列板の上部に設けられた壁面部から形成する請求項２記載の全周式陳列棚である。
【００１１】
請求項６の記載に係る発明は、下段の陳列棚を、筒状の筒体と、該筒体の中に設けられた芯材と、該芯材と前記筒体との間に架設させた上下二枚の拡張板と、上部拡張板の下面に取り付けられた補強部材から形成する請求項１記載の全周式陳列棚である。
【００１２】
請求項７の記載に係る発明は、上部の拡張板を、筒体の上端から所定の深さだけ下方に設け、筒体の上端部分が商品の転落を防止する商品転落防止部となっている請求項６記載の全周式陳列棚である。
【００１３】
請求項８の記載に係る発明は、上下二枚の拡張板を、双葉状に形成する請求項６記載の全周式陳列棚である。
【００１４】
請求項９の記載に係る発明は、補強部材を、下部拡張板に設けたスリットを貫通して筒体の下面に到達させ、上部拡張板に作用する荷重の一部を担持するようにする請求項６記載の全周式陳列棚である。
【発明の効果】
【００１５】
この発明は、筒状の下段陳列棚の上に、台座状の上段陳列棚を着脱自在に搭載した上下二段式の陳列棚であり、上下両段の陳列棚の上端部全周にわたって商品を陳列することができるため、上部陳列棚の最上部の陳列板や、十字状に組み付けられた壁面部によって仕切られた上部陳列棚の最下部の商品陳列板上には、例えば、化粧品、香辛料、日用品、食料品などの多種多様の商品を陳列することができる。
【００１６】
その上、本発明の全周式の陳列棚は、売店の床面中央などに設置することにより、四方から注視することができるので、購買力を誘発することができる。
また、本発明の全周式の陳列棚は、化粧品、香辛料、日用品などの多種多様の商品を大量に陳列することができるため、従来のように化粧品専用の陳列棚と異なり、汎用性に富むことができる。
【００１７】
また、本発明の全周式の陳列棚は、売店の床面中央などにワンタッチで短時間で組み立てて設置することができる。さらに、加盟店や個別の商店などに搬入・搬出する場合に、偏平に折り畳んで搬送することができるため、一台の運搬車で多数の陳列棚を搬送することができる。
【発明を実施するための最良の形態】
【００１８】
以下、本発明の実施の形態を図面を用いて説明する。尚、この実施の形態では、円筒状の陳列棚を例に取る。
【００１９】
図１において、１０は、本発明に係る陳列棚であり、円筒状に形成されている。その上、この陳列棚１０は、上下二段式になっており、下段の陳列棚４０の上に上段の陳列棚２０が搭載または載置されている。
従って、この陳列棚１０は、上段の陳列棚２０を持ち上げることにより、図２および図３に示すように、上段の陳列棚２０と、下段の陳列棚４０とを簡単に分離または分割することができる。
したがって、本発明の陳列棚１０は、ワンタッチでかつ短時間で組み立てることができ、また、ワンタッチで扁平状に折りたたんで搬送することができる。
【００２０】
上段の陳列棚２０は、図４乃至図６に示すように、円板状の陳列板２１と、切り込み部２２および２３を利用して＋形または×形に組み付けることができる第１および第２の陳列板支持部２４，２５の三つの部分（部材）から形成されている。
【００２１】
第１の陳列板支持部２４は、図５に示すように、半円形の陳列板受け部２６と、この陳列板受け部２６の下部に該陳列板受け部２６と一体的に形成された壁面部２７と、前記陳列板受け部２６に取り付けられたリング状の商品転落防止部２８から形成されている。
【００２２】
このリング状の商品転落防止部２８は、図５に示すように、半円形の陳列板受け部２６の頂点部２９、すなわち、前後または左右２枚になっている半円形の陳列板受け部２６を閉じた時の頂点部分の２箇所に取り付けられている。
【００２３】
その上、リング状の商品転落防止部２８の内周面には、半円形の陳列板受け部２６の周囲を支えるための支持片３０が一定の間隔で設けられている。さらに、上記壁面部２７には、スリット状の切り込み部２２が設けられている。この切り込み部２２は、壁面部２７の下面側が開口している。
【００２４】
従って、図７に示すように、双葉状の２枚の半円形の陳列板受け部２６を矢印のように開くと、２枚の半円形の陳列板受け部２６およびリング状の商品転落防止部２８が２点鎖線で示すように開く。これとは逆に、２枚の半円形の陳列板受け部２６を閉じると、実線で示すように、２枚の半円形の陳列板受け部２６およびリング状の商品転落防止部２８が閉じて偏平になる。
【００２５】
次に、第２の陳列板支持部２５について説明すると、第２の陳列板支持部２５は、図６に示すように、半円形の商品陳列板３５と、この商品陳列板３５の上部に該商品陳列板３５と一体的に形成された壁面部３６から形成されている。
【００２６】
この壁面部３６には、スリット状の切り込み部２３が設けられている。この切り込み部２３は、壁面部３６の上面側が開口している。そして、図８に示すように、双葉状の２枚の半円形の商品陳列板３５を矢印のように開くと、２枚の半円形の商品陳列板３５が２点鎖線で示すように開く。これとは逆に、２枚の半円形の商品陳列板３５を閉じると、実線で示すように、偏平になる。
【００２７】
ここで、円板状の陳列板２１およびリング状の商品転落防止部２８は、厚紙で形成され、第１および第２の陳列板支持部２４，２５は、ダンボールを張り合わせて頑丈に形成されている。そして、その表面は、広告などが印刷された化粧紙によって被覆したり、或いは塗装などが施されている。
【００２８】
他方、下段の陳列棚４０は、図３に示すように、円筒状の筒体４１と、この筒体４１の中に設けられた芯材４２と、この芯材４２と前記筒体４１との間に架設させた上下二枚の拡張板４３，４４と、左右の上部拡張板４３の下面に取り付けられた補強部材４５から形成されている。さらに詳しく説明すると、図９に示すように、上部の拡張板４３は、筒体５１の上端から所定の深さだけ下方に設けられ、筒体４１の上端部分が商品の転落を防止する商品転落防止部４６となっている。
【００２９】
上部拡張板４３は、半円形の二枚の拡張部４３ａから形成され、その直線部４７は、芯材４２の最上部に取り付けられている。その上、上記直線部４７より最も遠距離に位置している先端部４８は、筒体４１の内壁面に固定されている。また、筒体４１の内壁面には、二枚の拡張部４３ａを支持するための支持部材４９が一定の間隔で設けられている。
【００３０】
また、下部拡張板４４は、上部拡張板４３と同様に、半円形の二枚の拡張部４４ａから形成されているが、その直線部５０は、芯材４２の下端部に取り付けられている。また、上部拡張板４３と同様に、直線部５０より最も遠距離に位置している先端部５１は、筒体４１の内壁面に固定されている。また、筒体４１の内壁面には、二枚の拡張部４４ａを支持するための支持部材５２が一定の間隔で設けられている。
【００３１】
さらに、上記補強部材４５は、下部拡張板４４に設けたスリット５３を貫通して筒体４１の下面に到達し、上部拡張板４３に作用する荷重の一部を担持するようになっている。
従って、芯材４２を矢印の方向に移動させると、筒体４１および双葉状の上下二枚の拡張板４３，４４が２点鎖線で示すように窄み、偏平に折り畳むことができる。これとは逆に、芯材４２を矢印と逆方向に移動させると、筒体４１および双葉状の上下二枚の拡張板４３，４４が実線で示すように拡張する。
【００３２】
ここで、筒体４１は、厚紙で形成され、芯材４２、上下の拡張板４３，４４および補強部材４５は、ダンボールを張り合わせて頑丈に形成されている。そして、筒体４１の表面は、広告などが印刷された化粧紙によって被覆したり、或いは、塗装などが施されている。
【００３３】
図１０は、本発明に係る陳列棚の使用状態を示す説明図であり、上部陳列棚２０の最上部の陳列板２１や、上部陳列棚２０の壁面部２７，３６によって仕切られた上部陳列棚２０の最下部の商品陳列板３５の上には、例えば、化粧品、香辛料、日用品などの多種多様の商品１１を陳列することができる。そして、図示しない売店の床面中央などに設置することにより、四方から注視することができるので、購買力を誘発する上で、非常に有効な手段となる。
【００３４】
以上の説明では、円筒状の陳列棚について説明したが、この陳列棚は、所望により四角形や六角形、或いは、八角形などの角筒状にすることもできる。
また、本発明の陳列棚は、上下二段式になっているが、三段以上の構成としてもよい。
なお、本発明の陳列棚は、上下二段式に限らず、例えば、下段の陳列棚４０のみを独立して用いる、いわば、一段式の陳列棚として用いてもよい。
【００３５】
また、以上の説明では、紙製の陳列棚について説明したが、所望により合成樹脂で作ることもできる。また、これらの特性を活かして、部位ごとに合成樹脂と紙とを使い分けることもできる。
ここで、合成樹脂としては、ポリエステル、ポリアミド、ポリプロピレン、ポリエチレンなどの熱可塑性樹脂が好ましい。
【図面の簡単な説明】
【００３６】
【図１】本発明に係る全周式陳列棚の斜視図である。
【図２】上部陳列棚の斜視図である。
【図３】下部陳列棚の斜視図である。
【図４】陳列板の平面図である。
【図５】第１の陳列板支持部の側面図である。
【図６】第２の陳列板支持部の側面図である。
【図７】図５のＸ−Ｘ線断面図である。
【図８】図６のＹ−Ｙ線断面図である。
【図９】下部陳列棚の断面図である。
【図１０】本発明に係る全周式陳列棚の使用説明図である。
【符号の説明】
【００３７】
１０  全周式陳列棚
１１  商品
２０  上段陳列棚
４０  下段陳列棚
【図１】
2005218499.tif 000003
【図２】
2005218499.tif 000004
【図３】
2005218499.tif 000005
【図４】
2005218499.tif 000006
【図５】
2005218499.tif 000007
【図６】
2005218499.tif 000008
【図７】
2005218499.tif 000009
【図８】
2005218499.tif 000010
【図９】
2005218499.tif 000011
【図１０】
2005218499.tif 000012